(57)【要約】【課題】  異なる搬送周波数で変調された光信号をひとつの受光モジュールで受信する。【解決手段】  受光モジュール１０は、受信回路と、バンドパスフィルタ２０と、選択回路４０を備える。受信回路は、リモコン送信機から所定の搬送周波数で変調された光信号を受信する。バンドパスフィルタ２０は、受信した光信号から所期の周波数成分を通過させる。選択回路４０は、受光モジュール外部からの指示信号にしたがって、予め定められた複数の候補周波数の中からバンドパスフィルタ２０の中心周波数を静的に選択する。【選択図】        図２
2005244582.tif 000002
【特許請求の範囲】
【請求項１】
所定の搬送周波数で変調された光信号を受信する受信回路と、
受信した光信号から所期の周波数成分を通過させるバンドパスフィルタと、
前記バンドパスフィルタの中心周波数を予め定められた複数の候補周波数の中から選択する選択回路と、
を備えることを特徴とする受光モジュール。
【請求項２】
前記選択回路は、本受光モジュール外部からの指示信号にしたがって複数の候補周波数の中から静的にひとつの周波数を選択することを特徴とする請求項１に記載の受光モジュール。
【請求項３】
受光モジュールと主処理回路とを備える電子装置であって、
前記受光モジュールは、
所定の搬送周波数で変調された光信号を受信する受信回路と、
受信した光信号から所期の周波数成分を通過させるバンドパスフィルタと、
前記バンドパスフィルタの中心周波数を予め定められた複数の候補周波数の中から選択する選択回路と、を備え、
前記主処理回路は、前記選択回路に対し選択すべき周波数に関する指示を出力する指示回路と、
前記バンドパスフィルタを通過した信号をもとに所定の制御を行う制御回路と、を備えることを特徴とする電子装置。
【請求項４】
所定の搬送周波数で変調された光信号を受信する受信回路と、
基準電流と設定電流が供給され、基準電流と設定電流の比率にしたがって中心周波数が決定されるバンドパスフィルタと、
前記バンドパスフィルタの中心周波数を予め定められた複数の候補周波数の中から選択する選択回路と、
を備えることを特徴とする受光モジュール。
【請求項５】
前記選択回路は、前記予め定められた複数の候補周波数の比率と等しい比率を持つ設定電流をそれぞれ供給する複数の電流変換回路を含むことを特徴とする請求項４に記載の受光モジュール。
【請求項６】
前記選択回路は、本受光モジュール外部からの信号にしたがって前記電流変換回路のうちのひとつを選択するスイッチ回路をさらに含むことを特徴とする請求項５に記載の受光モジュール。
【請求項７】
前記選択回路は、前記基準電流を調整する調整回路をさらに含むことを特徴とする請求項６に記載の受光モジュール。
【発明の詳細な説明】
【技術分野】
【０００１】
この発明は、リモコン送信機からの光信号を受信する受光モジュールに関する。
【背景技術】
【０００２】
受光モジュールは、リモコン送信機から送信される光信号を受信して、照明器具やエアコン、ＴＶなどの装置を操作するものとして、従来から使用されている。光信号の搬送周波数として、日本国内では主に３６．７、３７．９、４０ｋＨｚの３種類の周波数が用いられており、また北米や欧州ではそれぞれ異なる周波数が用いられている。
【０００３】
複数の搬送周波数が用いられていることから、リモコンの操作対象となる装置を製造するセットメーカは、ひとつの装置で複数の搬送周波数に対応できるように、中心周波数の異なるバンドパスフィルタを持つ受光モジュールを、対応させる搬送周波数の数だけ装置に設けておくなどの対策を取る必要があった。
【０００４】
バンドパスフィルタの中心周波数が可変である受光モジュールとしては、特許文献１ないし３に示すように、送信側の波長に応じて、受信側の受光モジュールのバンドパスフィルタの中心周波数を調整するように動作させる技術が知られている。
【特許文献１】特開平８−１８４７２号公報
【特許文献２】特開平６−３３７３８４号公報
【特許文献３】特開２００１−１２７７０９号公報
【発明の開示】
【発明が解決しようとする課題】
【０００５】
しかしながら、上記特許文献１ないし３の技術は、照明器具によって異なる外乱光ノイズを検出したときや、受光した信号の強度レベルが不足したときに、バンドパスフィルタの中心周波数や副搬送波周波数をシフトさせて受信強度レベルを改善するものなので、受信信号に近い外乱光ノイズがある場合に、強制的に中心周波数を変更して外乱光ノイズによる影響を低減することはできない。
【０００６】
本発明はこうした状況に鑑みてなされたもので、その目的は、予め定められた複数の候補周波数の中からバンドパスフィルタの中心周波数を選択可能とする技術を提供する点にある。
【課題を解決するための手段】
【０００７】
本発明のある態様は、所定の搬送周波数で変調された光信号を受信する受信回路と、受信した光信号から所期の周波数成分を通過させるバンドパスフィルタと、バンドパスフィルタの中心周波数を予め定められた複数の候補周波数の中から選択する選択回路と、を備える受光モジュールを提供する。受信回路は、例えばフォトダイオードを使用して構成される。
【０００８】
この態様によれば、リモコン送信機の搬送周波数と同じ周波数を候補周波数の中から選択できるので、単一の受光モジュールで複数の搬送周波数を任意に選択することができる。
【０００９】
選択回路は、本受光モジュール外部からの指示信号にしたがって複数の候補周波数の中から静的にひとつの周波数を選択してもよい。
【００１０】
本発明の別の態様は、受光モジュールと主処理回路とを備える電子装置である。受光モジュールは、所定の搬送周波数で変調された光信号を受信する受信回路と、受信した光信号から所期の周波数成分を通過させるバンドパスフィルタと、バンドパスフィルタの中心周波数を予め定められた複数の候補周波数の中から選択する選択回路とを備える。主処理回路は、選択回路に対し選択すべき周波数に関する指示を出力する指示回路と、バンドパスフィルタを通過した光信号をもとに所定の制御を行う制御回路とを備える。
【００１１】
この態様によれば、単一の受光モジュールを組み込んでおけば、電子装置からの指示により受信する搬送周波数を候補周波数の中から選択することができるので、セットメーカ等のユーザは、異なる搬送周波数を使用する複数のリモコン送信機に対応させるために、電子装置に２つ以上の受光モジュールを設けておく必要がなくなる。
【００１２】
本発明のさらに別の態様は、所定の搬送周波数で変調された光信号を受信する受信回路と、基準電流と設定電流とが供給され、基準電流と設定電流の比率にしたがって中心周波数が決定されるバンドパスフィルタと、バンドパスフィルタの中心周波数を予め定められた複数の候補周波数のなかから選択する選択回路を備える受光モジュールを提供する。
【００１３】
選択回路は、予め定められた複数の候補周波数の比率と等しい比率を持つ設定電流をそれぞれ供給する複数の電流変換回路を含んでもよい。これによると、電流変換回路が供給する設定電流の比率を変えるだけで、所期の中心周波数をバンドパスフィルタに持たせることができる。
【００１４】
選択回路は、外部からの信号にしたがって電流変換回路のうちのひとつを選択するスイッチ回路や、基準電流を調整する調整回路を含んでもよい。
【００１５】
なお、以上の構成要素の任意の組み合わせ、本発明の表現を方法、装置、システムなどの間で変換したものもまた、本発明の態様として有効である。
【発明の効果】
【００１６】
本発明の受光モジュールによれば、バンドパスフィルタの中心周波数として予め複数の候補周波数を準備しておくので、単一の受光モジュールで複数の搬送周波数に対応することができる。
【発明を実施するための最良の形態】
【００１７】
本発明の一実施形態は、予め定められた複数の候補周波数の中から中心周波数を選択可能なバンドパスフィルタを備える受光モジュールである。図１に示すように、受光モジュール１０は、ＴＶやエアコンなどの家電機器をはじめとする電子装置３０に備えられる。受光モジュール１０は、図示しないリモコン送信機からの赤外線信号等の光信号を受信する。リモコン送信機から送信される光信号は、例えば、日本国内であれば、主に３６．７、３７．９、４０ｋＨｚで強度変調された搬送波の有無によってコード化された信号であるが、これに限定されない。主処理回路３２内の制御回路３６は、受信した信号にしたがって電子装置３０を制御する。
【００１８】
図２は、本実施形態における受光モジュール１０の基本構成を示すブロック図である。図示しないリモコン送信機から所定の搬送周波数で変調された光信号は、受光素子であるフォトダイオード１２に入射される。フォトダイオード１２は、入射光に応じて光起電力を発生する。光起電力による電流変化は、電流−電圧変換回路１４によって電圧変化に変換され、さらにコンデンサ１６を介してアンプ１８により増幅される。アンプ１８により増幅された信号は、不要な周波数帯域を減衰させて所期の周波数帯域成分のみを通過させるバンドパスフィルタ２０に供給される。
【００１９】
検波・積分回路２２は、所定の検出レベルとバンドパスフィルタ２０を通過した信号とを比較して搬送波の有無を検出し、さらに検出した信号を積分する。ヒステリシスコンパレータ２４は、検波・積分回路２２の出力信号の波形を整形して、方形波の信号を生成する。生成された信号は、出力トランジスタ２６をオンオフする。この出力トランジスタ２６のオンオフ状態は、リモコン送信機側で変調された信号を復調したものであり、出力端子Ｒoutから主処理回路３２に出力される。主処理回路３２内の制御回路３６は、この信号に基づいて電子装置３０を制御する。
【００２０】
主処理回路３２内の指示回路３４は、バンドパスフィルタの中心周波数ｆ0を選択する指示信号を、受光モジュール１０の制御端子４２に入力する。選択回路４０は、制御端子４２からの信号にしたがって、予め定められた複数の候補周波数のなかからひとつを選択し、バンドパスフィルタ２０の中心周波数ｆ0を設定する信号を出力する。候補周波数は、リモコン送信機側で取りうる搬送周波数の中から選択され、一例では、日本国内で汎用されている３６．７、３７．９、４０ｋＨｚに設定される。なお、受光モジュールの制御端子に与える信号は、ＤＣ電圧でもクロックパターン等の制御信号でもよい。
【００２１】
バンドパスフィルタ２０は、選択回路４０から基準電流と設定電流とが供給され、この比率によって中心周波数ｆ0が設定されるように構成されている。一例では、バンドパスフィルタ２０は相互コンダクタンスアンプを使用して構成されており、このアンプの相互コンダクタンスにしたがって、バンドパスフィルタの中心周波数をシフトさせることができるようになっている。この相互コンダクタンスを、基準電流と設定電流の比率によって変化するように構成しておく。
【００２２】
このようにして、バンドパスフィルタ２０は、リモコン送信機の搬送周波数を中心周波数ｆ0に持つように設定される。これによって、フォトダイオード１２の受信した信号のうち、搬送周波数の成分のみがバンドパスフィルタ２０を通過するようになる。
【００２３】
図３は、選択回路４０の構成を示すブロック図である。バイアス回路４６から基準電流Ｉφおよび電流Ｉ１が供給される。基準電流Ｉφはそのままバンドパスフィルタ２０に供給される。スイッチ回路５０は、制御端子４２から入力される信号にしたがって、スイッチ５４をａ、ｂ、ｃのいずれかの端子に接続する。これによって、端子ａ、ｂ、ｃにそれぞれ対応する電流変換回路５２ａ、５２ｂ、５２ｃのいずれかに電流Ｉ１が供給される。電流変換回路５２ａ、５２ｂ、５２ｃは、供給された電流Ｉ１を所定の比率の設定電流Ｉ２に変換し、バンドパスフィルタ２０に供給する。設定電流Ｉ2は、以下の式のように表される。
Ｉ2＝Ａ・Ｉ1  or  Ｂ・Ｉ1  oｒ  Ｃ・Ｉ1      （１）
ここで、Ａ、Ｂ、Ｃは、それぞれ電流変換回路５２ａ、５２ｂ、５２ｃにおける係数である。
【００２４】
上述のように、バンドパスフィルタ２０は、基準電流Ｉφと設定電流Ｉ２の比率でその中心周波数ｆ0が設定される。これを式で表すと、以下のようになる。
ｆ0＝Ｋ・（Ｉ2/Ｉφ）・ｆφ                  （２）
ここで、Ｋは比例定数であり、ｆφは基準周波数である。
【００２５】
式（１）を式（２）に代入すると、以下のような関係が得られる。
ｆ0＝Ｋ・（Ａ・Ｉ1／Ｉφ）・ｆφ
ｆ0＝Ｋ・（Ｂ・Ｉ1／Ｉφ）・ｆφ              （３）
ｆ0＝Ｋ・（Ｃ・Ｉ1／Ｉφ）・ｆφ
式（３）において、Ｉ1、Ｉφおよびｆφは定数なので、バンドパスフィルタ２０の候補周波数は、Ａ：Ｂ：Ｃの比に設定されることになる。このようにして、バンドパスフィルタ２０の中心周波数ｆ0を、複数の候補周波数の中から選択できるようになる。なお、電流変換回路の数は３つに限られるものではなく、４つ以上備えていてもよい。
【００２６】
バイアス回路４６には調整回路４４が接続されており、外付け抵抗２５によりトリミングができるようになっている。したがって、各電流変換回路５２ａ、５２ｂ、５２ｃについて調整をする必要はなく、いずれかひとつで調整をすれば、すべての電流変換回路が調整されることになる。
【００２７】
まとめると、予め定められた候補周波数に含まれる搬送周波数を使用するリモコン送信機がある場合に、主処理回路３２内の指示回路３４は、受光モジュール１０の制御端子４２に所定の指示信号を入力する。スイッチ回路５０は、指示信号にしたがって、スイッチ５４を電流変換回路５２ａ、５２ｂ、５２ｃのいずれかに接続する。すると、電流変換回路５２によって比率変換された設定電流がバンドパスフィルタ２０に入力されて、バンドパスフィルタ２０の中心周波数が移動する。このようにして、中心周波数と等しい搬送周波数で変調されたリモコン送信機からの光信号がバンドパスフィルタ２０を通過するようになる。
【００２８】
本発明によれば、バンドパスフィルタの中心周波数ｆ0を静的に任意選択可能としたことで、以下に述べるような効果が得られる。セットメーカは、異なる搬送周波数を使用する複数のリモコン送信機に対して、ひとつの受光モジュールで対応できるようになる。すなわち、指示回路から受光モジュールに発せられる指示信号を変更するだけで、複数の仕向け地に対応させることができ、部品点数の減少と組み立ての簡素化が達成できる。また、受光モジュールメーカは、搬送周波数毎に受光モジュールのラインナップを準備する必要がなくなる。
【００２９】
また、受光モジュールの使用環境においては、インバータ蛍光灯などの種々の外乱光ノイズが存在しているので、その外乱光ノイズもフォトダイオードに入力されてしまい、電子装置を誤作動させることがある。しかし、従来の受光モジュールでは、受信信号に近い外乱光ノイズがある場合でも、リモコン送信機のユーザが中心周波数を強制的に変更して外乱光ノイズによる影響を低減することはできなかった。本発明によれば、ユーザがリモコンの応答状態が良くないと感じたときに、リモコン送信機に設けられたスイッチを操作するなどして、指示回路から受光モジュールに発せられる指示信号を変更すれば、外乱光ノイズの周波数から離れた別の候補周波数をバンドパスフィルタの中心周波数として選択することができるので、外乱光ノイズの影響を低減することができる。
【００３０】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。例えば、選択回路に接続される外付け抵抗は、省略したり他の回路に内蔵したりしてもよい。
【図面の簡単な説明】
【００３１】
【図１】受光モジュールを組み込んだ電子装置を示すブロック図である。
【図２】受光モジュールの基本構成を示すブロック図である。
【図３】選択回路の構成を示すブロック図である。
【符号の説明】
【００３２】
１０  受光モジュール、  １２  フォトダイオード、  １４  電流／電圧変換回路、  １８  アンプ、  ２０  バンドパスフィルタ、  ２２  検波・積分回路、  ２４  コンパレータ、  ３０  電子装置、  ３２  主処理回路、  ３４  指示回路、  ３６  制御回路、  ４０  選択回路、  ４２  制御端子、  ４４  調整回路、  ５０  スイッチ回路、  ５２ａ〜ｃ  電流変換回路。
【図１】
2005244582.tif 000003
【図２】
2005244582.tif 000004
【図３】
2005244582.tif 000005